(57)【要約】      （修正有）【課題】特別な機能部品を用いずに、農作物の育成状況に合わせて農作物育成用の紐状物を脱着を容易に行うことができ、幼い根を傷つけないで地面に打ち込むことができる農業用支柱を提供する。【解決手段】地上に立設される支持部１１と、支持部の下方に連結され地面に打ち込まれる２本の足部とからなる農業用の支柱であって、支持部には、第１紐状物ｈ１を固定するための第１固定部が、支持部の側面に対で取り付けられており、第１固定部は、上方に位置する上固定部１３ａと、下方に位置する下固定部１３ｂと、支持部に取り付けられた側と反対の側方に開口する開口部１３ｃで構成されるコの字状の形態を備え、第１紐状物ｈ１を開口部の奥側の狭持部において、上固定部と下固定部とで固定するとともに、下固定部の下部外方には、第１紐状物をその左右で狭持し固定するための鋸刃状の突起部１３ｅが下方に凸設されている。【選択図】図４
0003195586.tif 000002
【実用新案登録請求の範囲】
【請求項１】
地上に立設される支持部１１と、該支持部１１の下方に連結され地面に打ち込まれる２本の足部１２，１２とからなる農業用の支柱であって、
該支持部１１には、第１紐状物ｈ１を固定するための第１固定部１３が、前記支持部１１の側面に対で取り付けられており、
前記第１固定部１３は、上方に位置する上固定部１３ａと、下方に位置する下固定部１３ｂと、支持部１１に取り付けられた側と反対の側方に開口する開口部１３ｃで構成されるコの字状の形態を備え、
第１紐状物ｈ１を該開口部１３ｃの奥側の狭持部１３ｄにおいて、前記上固定部１３ａと下固定部１３ｂとで固定するとともに、
前記下固定部１３ｂの下部外方には、第１紐状物ｈ１をその左右で狭持し固定するための鋸刃状の突起部１３ｅが下方に凸設されていることを特徴とする農業用支柱１０。
【請求項２】
前記２本の足部１２，１２は、前記支持部１１の下端から逆Ｙ字状に下方に開くように形成された斜部１２ａを介して連設されており、
該足部１２，１２の上端部には、支柱を打ち込むときのハンマーを受ける受け部１２ｂが設けられていることを特徴とする請求項１に記載の農業用支柱。
【請求項３】
前記コの字状の第１固定部１３の狭持部１３ｄは、前記下固定部１３ａの上端から上方に突出した上方体１３ｆと、該上方体１３ｆの一部を欠いた凹部１３ｇとを有し、
前記第１紐状物ｈ１の脱落を防止するようにしたことを特徴とする請求項１又は２記載の農業用支柱。
【請求項４】
前記支持部１１は、その外周面に略９０度間隔で縦方向に延伸する曲り補強用リブ１５を有することを特徴とする請求項１乃至３のいずれか１項に記載の農業用支柱。
【請求項５】
前記支持部１１は、その上部に、他の農業用支柱１０とを繋ぐ第２紐状物ｈ２を巻き付けるためや保管時に吊すための第２固定部１６を有することを特徴とする請求項１乃至４のいずれか１項に記載の農業用支柱。
【考案の詳細な説明】
【技術分野】
【０００１】
本考案は、農業用支柱に関する。詳しくは、農作物育成用の紐状物固定部を有する支持部を備えた農業用支柱に関する。
【背景技術】
【０００２】
従来、農作物の倒伏等を防止するために、農作物を添え木などの支柱に麻紐などで固定して支持することが広く行われている。
しかし、このような添え木を用いた方法においては、農作物の成長にあわせて固定位置を頻繁に変動させなければならず、農作物の育成において多くの負担がかかっていた。
また、手袋をして結ぶ時時間もかかり、また紐も１本当たり長いものを必要としていた。
そして、上記のような支柱に麻紐などを巻回して固定する方法において、固定位置を頻繁に変動しないように、当初から最終的な農作物の大きさを想定した固定方法では、農作物を確実に固定することができないという問題もあった。
特許文献１には、農作物を育成する網を支持する支柱として、網を構成する紐を収容して支持し得るように内部に幅方向に延在する網収容部と、網収容部の上縁部に沿って支持支柱の幅方向に延び網収容部に紐を導入し得るように網収容部と支持支柱の外形とを連通させる開口部を備えており、この開口部が正面視曲折形状に形成された支柱等が記載されている。
【０００３】
しかしながら、特許文献１の網止め具のように支柱を締め付けたり緩めたりするような機能部品を用いる場合には、装置代にコストがかかり、故障により機能が損なわれる怖れも有する。
【先行技術文献】
【特許文献】
【０００４】
【特許文献１】特開２００６−１２９７７３号公報。
【考案の概要】
【考案が解決しようとする課題】
【０００５】
本考案は、上記問題点に鑑み、特別な機能部品を用いずに、農作物の育成状況に合わせて農作物育成用の紐状物を脱着を容易に行うことができ、幼い根を傷つけないで地面に打ち込むことができる農業用支柱を提供することにある。
【課題を解決するための手段】
【０００６】
（１）本考案の農業用支柱１０は、地上に立設される支持部１１と、該支持部１１の下方に連結され地面に打ち込まれる２本の足部１２，１２とからなる農業用の支柱であって、
該支持部１１には、第１紐状物ｈ１を固定するための第１固定部１３が、前記支持部１１の側面に対で取り付けられており、
前記第１固定部１３は、上方に位置する上固定部１３ａと、下方に位置する下固定部１３ｂと、支持部１１に取り付けられた側と反対の側方に開口する開口部１３ｃで構成されるコの字状の形態を備え、第１紐状物ｈ１を該開口部１３ｃの奥側の狭持部１３ｄにおいて、前記上固定部１３ａと下固定部１３ｂとで固定するとともに、前記下固定部１３ｂの下部外方には、第１紐状物ｈ１をその左右で狭持し固定するための鋸刃状の突起部１３ｅが下方に凸設されていることを特徴とする。
（２）本考案の農業用支柱１０は、上記（１）において、前記２本の足部１２，１２が、前記支持部１１の下端から逆Ｙ字状に下方に開くように形成された斜部１２ａを介して連設されており、該足部１２，１２の上端部には、支柱を打ち込むときのハンマーを受ける受け部１２ｂが設けられていることを特徴とする。
（３）本考案の農業用支柱１０は、上記（１）又は（２）において、前記コの字状の第１固定部１３の狭持部１３ｄは、前記下固定部１３ａの上端から上方に突出した上方体１３ｆと、該上方体１３ｆの一部を欠いた凹部１３ｇとを有し、前記第１紐状物ｈ１の脱落を防止するようにしたことを特徴とする。
（４）本考案の農業用支柱１０は、上記（１）乃至（３）において、前記支持部１１は、その外周面に略９０度間隔で縦方向に延伸する曲り補強用リブ１５を有することを特徴とする。
（５）本考案の農業用支柱１０は、上記（１）乃至（４）において、前記支持部１１は、その上部に、他の農業用支柱１０とを繋ぐ第２紐状物ｈ２を巻き付けるためや保管時に吊すための第２固定部１６を有することを特徴とする。
【考案の効果】
【０００７】
本考案の農業用支柱は、特別な機能部品を用いずに、農作物の育成状況に合わせて農作物育成用の紐状物を脱着を容易に行うことができ、幼い根を傷つけないで地面に打ち込むことができる。
【図面の簡単な説明】
【０００８】
【図１】実施形態の農業用支柱１０の全体を示す概略正面図である。
【図２】（ａ）は図１の第１固定部１３の拡大図であり、（ｂ）は（ａ）のＡ−Ａ断面図である。
【図３】（ａ）は第１固定部１３の詳細部を示す説明図であり、（ｂ）は（ａ）のＢ−Ｂ断面図である。
【図４】（ａ）は第１固定部１３に第１紐状物ｈ１を固定する様子を示す正面図であり、（ｂ）は図３（ｂ）の断面方向からみた説明図である。
【図５】複数の農業用支柱１０を、第２紐状物ｈ２によって連結した状態を示す概略図である。
【考案を実施するための形態】
【０００９】
以下、図面に基づいて、本考案に係る農業用支柱の好適な実施形態について説明する。
なお、図面に示された各実施形態は、本考案に係わる代表的な実施形態の一例を示したものであり、これにより本考案の範囲が狭く解釈されることはない。
また、図面では、説明の便宜上、支柱の構造等については簡素化して示している。
なお、この農業用支柱のサイズや層構造は、本考案の目的に沿う範囲で適宜に設計又は変更可能である。
【００１０】
図１は実施形態の農業用支柱の全体を示す概略正面図である。図２は図１を拡大したＡ−Ａ断面図である。図３（ａ）は第１固定部１３の詳細部を示す説明図であり、（ｂ）は（ａ）のＢ−Ｂ断面図である。
図４（ａ）は第１固定部１３に第１紐状物ｈ１を固定する様子を示す正面図であり、（ｂ）は図３（ｂ）の断面方向からみた説明図である。
【００１１】
図１〜図４に示すように、本考案の実施形態に係る農業用支柱１０は、地面に打ち込まれて立設される農業用の支柱であって、地上に立設される支持部１１と、該支持部１１の下方に連結され地面に打ち込まれる２本の足部１２，１２とからなる。
また、支持部１１には、第１紐状物ｈ１を固定するための第１固定部１３が、支持部１１の側面に対で取り付けられている。
第１固定部１３は、上方に位置する上固定部１３ａと、下方に位置する下固定部１３ｂと、支持部１１に取り付けられた側と反対の側方に開口する開口部１３ｃで構成されるコの字状の形態を備えている。
そして、第１紐状物ｈ１を該開口部１３ｃの奥側の狭持部１３ｄにおいて、上固定部１３ａと下固定部１３ｂとで固定するようになっている。
また、下固定部１３ｂの下部外方には、第１紐状物ｈ１をその左右で狭持し固定するための鋸刃状の突起部１３ｅが上方に凸設されている。
【００１２】
＜第１固定部＞
支持部１１の側面に対で取り付けられている第１固定部１３は、支持部１１の側面に幅方向に延在するよう対で設けられている。本実施形態では、第１固定部１３を、支持部１１の中心軸Ｌをはさんで対向するように対に設けることで、どちらか一方、例えば、農作業時の作業性の良い方に第１紐状物ｈ１を固定させることができる。その結果、複数の支柱に支持させる際に同一側で作業することができ、作業の容易性にも寄与することができる。
【００１３】
第１固定部１３は、コの字状の形態を備えており、コの字の上方に位置する上固定部１３ａと、下方に位置する下固定部１３ｂと、第１紐状物ｈ１を導入する（入れる）ための開口部１３ｃとで構成される。開口部１３ｃは、支持部１１に取り付けられた側と反対の側方に開口している。
【００１４】
そして、図４（ｂ）に示すように、第１紐状物ｈ１を、上固定部１３ａの上部を通し、鋸刃状の突起部１３ｅに、上から下へと巻き付け、終端を開口部１３ｃから導入し（図４の矢印ｘ参照）、開口部１３ｃの奥側の狭持部１３ｄにおいて、上固定部１３ａと下固定部１３ｂとで狭持して固定するようにしている。
また、図４（ａ）に示すように、コの字状の第１固定部１３の狭持部１３ｄは、下固定部１３ａの上端から上方に突出した上方体１３ｆと、上方体１３ｆの一部を欠いた凹部１３ｇとを有している。細い径の第１紐状物ｈ１はこの凹部１３ｇで固定し、太い径の第１紐状物ｈ１は手前で固定するようにすることで、第１紐状物ｈ１の太さに応じて適宜その固定場所を選択できる。
【００１５】
上固定部１３ａや下固定部１３ｂの形状は限定されないが、好適には、それぞれ狭持部１３ｄの上方及び下方に設けられ、狭持部１３ｄに向かって、その断面において先端方向に厚みが薄くなるテーパーがつけられていることが望ましい。
より好適には、図３（ｂ）に示すように、三角形状をしていることが望ましい。
【００１６】
また、下固定部１３ｂの上端は、上方に突出した上方体１３ｆを有することが望ましい。
上方に突出した上方体１３ｆを有することで、使用時における第１紐状物ｈ１の脱落をより効果的に防止できる（図３（ｂ）参照）。
【００１７】
また、第１固定部１３を上下に多段に設置することもできる。本実施形態では、３段設けている。なお、対となる第１固定部１３のうちの所望する方に第１紐状物ｈ１を固定させ得るものであり、必ずしも第１固定部１３の両方に第１紐状物ｈ１を収納させることを必須とするものではない。
【００１８】
また、コの字状の下固定部１３ｂ下部外方には鋸刃状の突起部１３ｅを下方に凸設させ、第１紐状物ｈ１をその左右で狭持し固定するようにしている。第１紐状物ｈ１は、狭持部１３ｄだけでなく突起部１３ｅを設けることで安定して固定することができる。
すなわち、対となる第１固定部１３を支持部１１の中心軸Ｌをはさんで対に設けるとともに、かつ夫々の第１固定部１３に突起部１３ｅを設けることで、種々の太さの第１紐状物ｈ１の固定に対応することができる。
【００１９】
さらに、支柱１０の上部には、第２固定部１６を設け、この第２固定部１６に第２紐状物ｈ２を結びつけることで、支柱１０同士を連結させてより倒れにくくすることができる。なお、この第２固定部１６の形状は、実施形態ではフック状にしているが、この形状に限定されるものではない。
【００２０】
＜足部＞
支柱１０の足部１２，１２は、支持部１１の下端から逆Ｙ字状に下方に開くように形成された斜部１２ａ、１２ａを介して連設されている。
このように、足部１２，１２を、斜部１２ａ、１２ａを設けて幅を広げて取り付けたことにより、地中の幼い根を傷付けやすくなることを防止することができる。これに対し、１本の太い支柱の下部に直接足部を連設した場合は、農作物の根元に近い場所に直接打ちこむようになるので地中の幼い根を傷付けやすくなるのである。
また、足部１２，１２の上端部には、支柱１０を地中に打ち込むときのハンマーを受けやすくする平坦な形状の受け部１２ｂを設けており、下端部は、地面に容易に打設し得るように先端部を尖った形状としている。
【００２１】
＜支柱の曲り補強用リブ＞
支持部１１の外周の長手方向には曲り補強用リブ１５が形成されている。これにより、細くて長い支柱あっても、その曲り強度をより向上させるようにすることができる。
なお、図では、円周方向において略９０度の間隔で４本の曲り補強用リブ１５を設けている。
【００２２】
＜支柱の製造方法の説明＞
支柱１０は、通常、高さ０．５〜１ｍで、支持部の直径５〜２０ｍｍ程度の寸法を有し、例えば、合成樹脂を樹脂の射出成形方法によって、足部１２と支持部１１をと一体成形することができる。
なお、支柱１０の寸法や第１固定部１３の寸法などについては、本考案の効果を損ねない範囲において適宜選択できるものである。
【００２３】
本実施形態においては、支柱として、軽量で強度が高く、適度な耐候性と、酸性雨などで錆びないという優れた点を有することから合成樹脂製としているが、本考案においては、これらは、通常の金属部材や木材などを用いて形成することもできる。
【００２４】
次に、支柱の使用方法を説明する。
支柱１０は、所定の間隔で立設され、支柱１０の側面に形成された第１固定部１３に、第１紐状物ｈ１で農作物を固定した後に、その上端に位置する第２固定部１６に、第２紐状物ｈ２を繋げばよい。
作業手順としては、まず、農業用支柱１０を地面に夫々立設する。次いで、図５に示すように、夫々の農業用支柱１０の第２固定部１６に第２紐状物ｈ２を数回巻きつけて連結させることで、農業用支柱１０同士を連結させることができる。
このようにして農業用支柱１０に第２紐状物ｈ２を固定させることで、農作物の荷重や風圧等の外力によって起こりうる農業用支柱１０の傾倒を防止できる。
そして、固定された第１紐状物ｈ１が農業用支柱１０から脱落することを防止できる。また、保管も重ねて吊しておけば場所もとらない。
【符号の説明】
【００２５】
１０  農業用支柱
１１  支持部
１２  足部
１２ａ  斜部
１２ｂ  受け部
１３  第１固定部
１３ａ  上固定部
１３ｂ  下固定部
１３ｃ  開口部
１３ｄ  狭持部
１３ｅ  突起部
１３ｆ  上方体
１３ｇ  凹部
１５  曲り補強用リブ
１６  第２固定部
ｈ１  第１紐状物
ｈ２  第２紐状物
Ｌ  中心軸
【図１】
0003195586.tif 000003
【図２】
0003195586.tif 000004
【図３】
0003195586.tif 000005
【図４】
0003195586.tif 000006
【図５】
0003195586.tif 000007